(57)【要約】【課題】炊飯物を攪拌する攪拌機構と、蒸気を希釈する蒸気希釈機構とを有するにも拘わらず、コンパクトで、製造コストを抑制できる炊飯器を提供すること。【解決手段】炊飯物を攪拌するための攪拌体１１を、蓋体２に回動可能に取り付けると共に、蒸気を希釈するための空気を送るシロッコファン１８を、蓋体２に固定する。蓋体２内に、内鍋１０内で発生した蒸気を蒸気吹出口８に導くための蒸気排出ダクト２６と、シロッコファン１８からの空気を蒸気排出ダクト２６内に導くファンダクト２７とを形成する。シロッコファン１８を駆動するファン攪拌体兼用モータ１９の動力を、動力伝達機構２０を介して、攪拌体１１に伝達する。【選択図】図２
2013000515.tif 000002
【特許請求の範囲】
【請求項１】
炊飯物を収容する内鍋と、
上記内鍋を収納する本体と、
上記本体の上部に開閉自在に取り付けられると共に、蒸気吹出口を有する蓋体と、
上記蓋体に回動可能に取り付けられると共に、上記炊飯物を攪拌するための攪拌体と、
上記内鍋内で発生した蒸気を上記蒸気吹出口に導くための蒸気排出ダクトと、
上記蓋体に固定される一方、上記蒸気を希釈するための空気を送るファンと、
上記攪拌体および上記ファンを回転駆動する単一のモータと、
上記ファンからの上記空気を上記蒸気排出ダクト内に導くファンダクトと
を備えることを特徴とする炊飯器。
【請求項２】
請求項１に記載の炊飯器において、
上記ファンは、遠心ファンであり、
上記モータの回転軸は、上記ファンの回転軸と同心であり、
上記モータの回転動力を、上記攪拌体に伝達すると共に、上記攪拌体の回転速度を、上記モータの回転速度よりも低くする動力伝達機構を備えることを特徴とする炊飯器。
【請求項３】
請求項２に記載の炊飯器において、
上記蓋体の上面は、
上記ファンに高さ方向に重なる第１面と、
上記第１面よりも下方に位置する第２面と、
上記第１面と上記第２面とを連結する段部と
を有し、
上記蒸気吹出口は、上記段部に存在していることを特徴とする炊飯器。
【請求項４】
請求項１から３までのいずれか一項に記載の炊飯器において、
上記攪拌体は、
上記蓋体の内側に上記蓋体に対して回転自在に取り付けられると共に、上記蓋体の下面に沿うように延在する棒状の回転体と、
上記蓋体に沿って延在する上方位置と、上記蓋体の上記下面に対して斜め下方に向かって起立した下方位置との間を、上記回転体上にある支点を中心にして上下方向に回転可能に上記回転体に取り付けられた攪拌アームと
を有していることを特徴とする炊飯器。
【発明の詳細な説明】
【技術分野】
【０００１】
本発明は、炊飯器に関する。
【背景技術】
【０００２】
従来、炊飯器としては、特開２００８−２７８９２４号公報（特許文献１）に記載されているものがある。この炊飯器は、本体と、内鍋と、蓋体と、攪拌機構と、蒸気排出ダクトと、熱交換器と、送風機構とを備え、上記内鍋は、上記本体に収納されるようになっている。上記蓋体は、本体の上部に開閉自在に取り付けられている。上記蓋体には、蒸気排出口が形成されている。
【０００３】
上記攪拌機構は、攪拌体と、攪拌体モータとを有している。上記攪拌体は、蓋体に取り付けられている。上記攪拌体は、攪拌モータにより駆動されるようになっている。上記攪拌体は、適切な時期に炊飯物を攪拌するようになっている。
【０００４】
上記蒸気排出ダクトは、内鍋内で発生した蒸気を、上記蒸気吹出口まで導くようになっている。上記熱交換器は、蒸気排出ダクト内に配置されている。上記熱交換器は、蒸気排出ダクト内の蒸気を凝縮している。上記熱交換器は、炊飯時の蒸気を凝縮して確保するために設けられている。
【０００５】
上記送風機構は、ファンと、ファンモータとからなっている。上記ファンは、そのファンの中心軸が水平面に対して傾斜するように配置されている。上記ファンの吹出口は、水平面に対して上方に傾いている。上記ファンからの風で、蒸気排出ダクト内で凝縮しなかった蒸気を希釈すると共に、蒸気吹出口側に流動させようになっている。
【０００６】
上記従来の炊飯器は、蓋体内に、攪拌体を駆動する攪拌モータと、ファンを駆動するファンモータとが配置されているから、蓋体が大型化すると共に、製造コストが大きいという問題がある。
【０００７】
また、蓋体内に、攪拌体を駆動する攪拌モータと、ファンを駆動するファンモータとが配置されているから、蓋体の厚さおよび質量が大きくなり、蓋体を開閉しにくいと共に、デザインが制約されるという問題がある。
【先行技術文献】
【特許文献】
【０００８】
【特許文献１】特開２００８−２７８９２４号公報
【発明の概要】
【発明が解決しようとする課題】
【０００９】
そこで、本発明の課題は、炊飯物を攪拌する攪拌機構と、蒸気を希釈する蒸気希釈機構とを有するにも拘わらず、コンパクトで、製造コストを抑制できる炊飯器を提供することにある。
【課題を解決するための手段】
【００１０】
上記課題を解決するため、この発明の炊飯器は、
炊飯物を収容する内鍋と、
上記内鍋を収納する本体と、
上記本体の上部に開閉自在に取り付けられると共に、蒸気吹出口を有する蓋体と、
上記蓋体に回動可能に取り付けられると共に、上記炊飯物を攪拌するための攪拌体と、
上記内鍋内で発生した蒸気を上記蒸気吹出口に導くための蒸気排出ダクトと、
上記蓋体に固定される一方、上記蒸気を希釈するための空気を送るファンと、
上記攪拌体および上記ファンを回転駆動する単一のモータと、
上記ファンからの上記空気を上記蒸気排出ダクト内に導くファンダクトと
を備えることを特徴としている。
【００１１】
尚、本明細書で、上方、下方、上側、下側、水平方向等の鉛直方向や水平方向に関する文言を使用した場合、それは、炊飯器が、水平面上に配置された状態での方向について言及しているものとする。
【００１２】
本発明によれば、炊飯物を攪拌するための攪拌体と、ファンからの空気を蒸気排出ダクト内に導くファンダクトとを備えるから、内鍋内の炊飯物を攪拌できると共に、蒸気をファンからの空気で希釈できる。したがって、上記攪拌体の攪拌時において炊飯物の温度を均一化等することができて、おいしい御飯を炊くことができると共に、蒸気排出口から排出される蒸気の温度を下げることができて、人が蒸気排出口から排出される蒸気で火傷等の怪我をすることを防止できる。
【００１３】
また、本発明によれば、蓋体に固定されると共に、蒸気希釈用の空気を生成するファンを駆動するモータに、攪拌体を回転駆動することを兼用させたから、従来と比較して、モータを一つ削減できる。したがって、蓋体を、コンパクトに構成できると共に、製造コストを低減できる。
【００１４】
また、本発明によれば、従来と比較して、モータを一つ削減できるから、蓋体の厚さおよび質量を小さくできて、炊飯器の開閉性を良くでき、デザインの自由度を大きくできる。
【００１５】
また、一実施形態では、
上記ファンは、遠心ファンであり、
上記モータの回転軸は、上記ファンの回転軸と同心であり、
上記モータの回転動力を、上記攪拌体に伝達すると共に、上記攪拌体の回転速度を、上記モータの回転速度よりも低くする動力伝達機構を備える。
【００１６】
上記実施形態によれば、上記モータの回転動力を、動力伝達機構を介して攪拌体に伝達するようになっているから、ファンの中心軸を、攪拌体の中心軸に対して、攪拌体の中心軸に垂直な所望の方向に、所望の間隔をおいて位置させることができる。したがって、ファンの配置の自由度を格段に大きくすることができて、更にコンパクトな炊飯器を実現できる。
【００１７】
また、一実施形態では、
上記蓋体の上面は、
上記ファンに高さ方向に重なる第１面と、
上記第１面よりも下方に位置する第２面と、
上記第１面と上記第２面とを連結する段部と
を有し、
上記蒸気吹出口は、上記段部に存在している。
【００１８】
上記実施形態によれば、第２面が第１面よりも低くなっているから、遠心ファンの中心軸が、攪拌体の中心軸と略平行な構成を、コンパクトに実現できると共に、遠心ファンから吐出される遠心ファンの径方向の空気の流れを用いて、蒸気の希釈および排気を円滑かつ効率的に行うことができる。
【００１９】
また、一実施形態では、
上記攪拌体は、
上記蓋体の内側に上記蓋体に対して回転自在に取り付けられると共に、上記蓋体の下面に沿うように延在する棒状の回転体と、
上記蓋体に沿って延在する上方位置と、上記蓋体の上記下面に対して斜め下方に向かって起立した下方位置との間を、上記回転体上にある支点を中心にして上下方向に回転可能に上記回転体に取り付けられた攪拌アームと
を有している。
【００２０】
内鍋内の温度を１００℃程度に保って、沸騰を維持する炊き上げ工程においては、内鍋から大量に蒸気が排出されて、蒸気の希釈を行わなければならない一方、炊飯物を攪拌すると、炊飯物が痛んでしまうから、炊飯物を攪拌してはいけない。
【００２１】
ここで、従来の希釈機構と、攪拌機構とを有する炊飯器で、動力源であるモータを一体化すると、希釈を行う際に、自動的に炊飯物の攪拌が行われることになるから、従来の炊飯器では、これを避けるために、一方クラッチ等のスペースを有すると共に高価である動力遮断機構が必要不可欠になる。
【００２２】
これに対し、本実施形態によれば、攪拌アームを、蓋体に沿って延在する上方位置に存在させることができるから、攪拌アームを、上方位置に位置させることにより、攪拌アームが炊飯物と非接触になり、一方クラッチ等の動力遮断機構がなくても、蒸気の希釈時に、炊飯物が攪拌されることがない。したがって、上記実施形態によれば、動力の一体化を、格段に低コストかつコンパクトに実現できる。
【発明の効果】
【００２３】
本発明の炊飯器によれば、炊飯物を攪拌する攪拌機構と、蒸気を希釈する蒸気希釈機構とを有するにも拘わらず、コンパクトで、製造コストを抑制できる。
【図面の簡単な説明】
【００２４】
【図１】本発明の一実施形態の炊飯器の斜視図である。
【図２】図１のII−II線から見た炊飯器の縦断面図である。
【図３】攪拌アームが下方位置にある状態を示す図である。
【図４】炊飯物を攪拌している最中の攪拌体を示す図である。
【図５】この炊飯器の制御ブロック図である。
【図６】この炊飯器の一炊飯例での内鍋１０内の温度変化を時系列的に示す図である。
【発明を実施するための形態】
【００２５】
以下、本発明を図示の形態により詳細に説明する。
【００２６】
図１は、本発明の一実施形態の炊飯器の斜視図である。
【００２７】
図１に示すように、この炊飯器は、本体１と、蓋体２とを備え、本体１は、内鍋（図示せず）を収容する凹部（図示せず）を有している。上記蓋体２は、本体１の上部に、上記凹部の開口を開閉可能に取り付けられている。上記蓋体２は、本体１に設けられたラッチ機構(図示せず)により、本体１に係止されるようになっている。上記蓋体２は、蒸気吹出口８を有している。
【００２８】
上記本体１は、表示操作部３と、フックボタン４と、本体ハンドル５と、電源コード６とを有する。上記表示操作部３は、本体１の前面側に設けられている。上記表示操作部３は、液晶ディスプレイと、複数の操作ボタンとを有し、上記液晶ディスプレイには、調理モードや調理状況などが表示されるようになっている。ユーザーは、上記操作ボタンを適宜操作することによって、炊飯の制御を選択等できるようになっている。
【００２９】
上記フックボタン４は、本体１の前面側かつ上側に設けられている。上記フックボタン４が押圧されると、上記ラッチ機構が外れて、蓋体２が、スプリング(図示せず)の付勢力で上方に移動するようになっており、上記凹部の開口が現れるようになっている。上記本体ハンドル５は、本体１の後面側に回動自在に取り付けられている。また、上記電源コード６は、本体１の後面側かつ下側に接続されている。
【００３０】
図２は、図１のII−II線から見た炊飯器の縦断面図である。
【００３１】
図２に示すように、この炊飯器は、本体１と、内鍋１０と、攪拌体１１と、遠心ファンの一例としてのシロッコファン１８と、ファン攪拌体兼用モータ１９と、動力伝達機構２０と、蒸気排気ダクト２６と、ファンダクト２７と、制御装置２００とを備えている。また、この炊飯器は、ヒータ４１,４２と、内鍋温度センサ４３とを備えている。
【００３２】
上記本体１は、外ケース１ａと、この外ケース１ａ内に配置された内ケース(図示せず)とを有する。上記本体１内に内鍋１０を収納すると、内ケースが内鍋１０を保持するようになっている。上記内ケースは、耐熱性および電気絶縁性を有する材料で形成されている。上記制御装置２００は、外ケース１ａと、内ケースとの間の空間に配置されている。上記制御装置２００は、マイクロコンピュータおよび入出力回路などからなっている。
【００３３】
上記内鍋１０は、例えばアルミニウムなどの高熱伝導部材で形成されている。上記内鍋１０の外面に加熱効率を向上させるステンレス等の磁性体を貼り付ける一方、内鍋１０の内面に炊飯物の付着を防ぐためのフッ素樹脂をコーティングしている。上記内鍋１０には、炊飯物としての米と水の混合物が収容されるようになっている。上記内鍋１０は、その上部の開口の縁に環状のフランジ部１０ａを有している。
【００３４】
上記シロッコファン１８は、蓋体２内に内蔵されている。上記シロッコファンの回転軸は、鉛直方向に延在している。上記ファン攪拌体兼用モータ１９の回転軸５５は、シロッコファン１８の回転軸と同心になっている。上記シロッコファン１８は、ファン攪拌体兼用モータ１９の回転速度と同一の回転速度で回転駆動するようになっている。
【００３５】
上記動力伝達機構２０は、第１プーリ５０と、第２プーリ５１と、回転軸１４と、ベルト４５とを有している。上記第１プーリ５０は、ファン攪拌体兼用モータ１９の回転軸５５の外周面に固定されて、回転軸５５と同期して回転するようになっている。また、上記回転軸１４は、図示しない軸受等を介して蓋体２に回動自在に取り付けられている。上記回転軸１４は、鉛直方向に延在している。上記第２プーリ５１の直径は、第１プーリ５０の直径よりも大きくなっている。上記第２プーリ５１は、回転軸１４の外周面に固定されて、回転軸１４の回りを回転軸１４と同期して回転するようになっている。上記ベルト４５は、ゴムからなっている。上記ベルト４５は、第１プーリ５０と、第２プーリ５１とに巻回されている。上記ベルト４５において第１プーリ５０と接触している部分は、静止摩擦力により第１プーリ５０に対して相対移動不可になっており、ベルト４５において第２プーリ５１と接触している部分は、静止摩擦力により第２プーリ５１に対して相対移動不可になっている。上記第１プーリ５０の直径と、第２プーリ５１の直径との比を適切に調整することにより、回転軸１４の回転速度を、回転軸５５の回転速度に対して適宜減速するようになっている。このようにして、動力伝達機構２０で、ファン攪拌体兼用モータ１９の回転動力を、攪拌体１１に伝達すると共に、攪拌体１１の回転速度を、ファン攪拌体兼用モータ１９の回転速度よりも低くするようになっている。上記ファン攪拌体兼用モータ１９は、攪拌体１１およびシロッコファン１８を回転駆動する単一のモータとなっている。
【００３６】
上記蓋体２は、外蓋２１と、内蓋２２とを有している。上記内蓋２２は、円盤状の部材である。上記内蓋２２は、円盤部２２ａと、円筒部２２ｂと、環状のフランジ部２２cとを有し、円盤部２２ａは、外蓋２１の内鍋１０側に着脱自在に取り付けられている。また、上記円筒部２２ｂは、円盤部２２ａの外周縁から下方に延びている。また、上記フランジ部２２ｃは、円筒部２２ｂの下端縁から外方に延びている。上記内蓋２２の外周に、環状の耐熱ゴム製のパッキン(図示せず)を着脱自在に取り付けている。上記パッキンは、蓋体２が閉じられたときに、内鍋１０のフランジ部１０ａの上面に密着して、内鍋１０と内蓋２２との間をシールするようになっている。
【００３７】
上記攪拌体１１は、耐熱樹脂製からなり、回転体３６と、攪拌アーム３７とを有する。上記回転体３６は、蓋体２に対して回動自在に蓋体２の内鍋１０側に取り付けられている。詳しくは、上記回転軸１４は、内蓋２２の略中央を貫通している。上記回転体３６は、棒状の部材であって、上記回転体３６の一端部は、内蓋２２の内鍋１０側に突出した回転軸１４の下端部に、水平方向に延在するように取り付けられている。
【００３８】
上記攪拌アーム３７は、一方向に延在していて、攪拌アーム３７の一端部は、回転体３６の他端部に関節である軸部１３を介して取り付けられている。上記攪拌アーム３７は、回転体３６に、軸部１３を中心にして、蓋体２に沿って延在する上方位置と、蓋体２の下面に対して斜め下方に向かって起立した下方位置との間を回動自在に取り付けられている。上記軸部１３の近傍には、図示しないストッパが配置されている。上記攪拌アーム３７は、上記ストッパにより、上記下方位置で回動が停止し、上記下方位置よりも下方に位置できないようになっている。
【００３９】
上記攪拌アーム３７は、軸部１３側とは反対側の端部に攪拌アーム側磁石１６を有している。また、上記蓋体２は、磁石回転機構６０を有している。上記磁石回転機構６０は、ロータ３０と、ロータ駆動部３２とを有し、ロータ駆動部３２は、ロータ３０を回転駆動するようになっている。上記ロータ３０には、蓋体側磁石３１が取り付けられている。上記蓋体側磁石３１は、ロータ３０の回転に伴ってロータ３０の回転方向に移動可能になっている。図２に示すように、上記蓋体側磁石３１の環状の存在可能位置の一部は、内蓋２２の円盤部２２ａに鉛直方向（上下方向）に重なっている。
【００４０】
図２は、攪拌アーム３７が、上方位置にある状態を示している。上記攪拌アーム３７は、係合凹部を有し、回転体３６の側面は、係合凸部を有している。上記攪拌アーム３７は、上方位置では、その係合凹部を回転体３６の係合凸部に係合することによって、回転体３６に保持されるようになっている。
【００４１】
上記蓋体側磁石３１が、円盤部２２ａに鉛直方向に重なっている位置で、かつ、攪拌アーム３７が上方位置にある状態において、攪拌アーム３７を正方向(下側から見て時計回り)に回転させると、攪拌アーム３７は、蓋体側磁石３１と攪拌アーム側磁石１６との間に働く磁気反発力によって、水平方向に回転体３６から離れる方向に移動して、回転体３６から離脱するようになっている。
【００４２】
また、上記蓋体側磁石３１が、円盤部２２ａに鉛直方向に重なっている位置で、かつ、攪拌アーム３７が上方位置にある状態において、攪拌アーム３７を正方向と反対方向に回転させた場合、攪拌アーム３７は、蓋体側磁石３１と攪拌アーム側磁石１６との間に磁気反発力が働いても、回転体３６から離脱できないようになっている。
【００４３】
また、上記攪拌アーム３７が、下方位置に存在する場合に、攪拌アーム３７を、正方向と逆方向に所定以上の回転速度で回転させると、攪拌アーム３７は、遠心力によって鉛直方向上方側の力を受けて、攪拌アーム３７が鉛直方向上方側に移動するようになっている。そして、攪拌アーム３７が鉛直方向上方側に移動する勢いで、攪拌アーム３７の係合凹部が、回転体３６の係合凸部を乗り越えて、攪拌アーム３７が回転体３６に係止するようになっている。このようにして、攪拌アーム３７を上方位置に位置させることができるようになっている。
【００４４】
また、本実施形態では、攪拌アーム３７の駆動と、シロッコファン１８の駆動とが連携しているが、上記シロッコファン１８は、攪拌アーム３７が正方向(下側から見て時計回り)に回転している際には、空気を吐出しないようになっている一方、攪拌アーム３７が正方向と逆方向(下側から見て反時計回り)に回転している際には、空気をファンダクト２７の方に吐出するようになっている。
【００４５】
上記蒸気排出ダクト２６は、蓋体２内に形成されている。上記蒸気排出ダクト２６は、蓋体２が本体１の凹部を覆っている状態で、内蓋２２の内鍋１０内のスペースと、蒸気吹出口８とを連通するようになっている。上記蒸気排出ダクト２６は、第１部分７０と、第２部分７１とを有し、第１部分７０は、内蓋２２の内鍋１０側のスペースから鉛直方向上方に延在している一方、第２部分７１は、第１部分７０の鉛直方向上方の端部から蒸気吹出口８まで鉛直方向上方かつ水平方向に、水平方向に傾斜するように延在している。上記蒸気排出ダクト２６は、内鍋１０内で発生した蒸気を、内鍋１０から蒸気吹出口８まで案内するようになっている。
【００４６】
上記ファンダクト２７は、蓋体２内に位置している。上記ファンダクト２７は、シロッコファン１８の吹出口と、蒸気排出ダクト２６の経路の途中の部分とを連通している。上記ファンダクト２７は、シロッコファン１８から蒸気希釈用の空気を蒸気排出ダクト２６内に導く役割を担っている。上記ファンダクト２７は、第１部分８０と、第２部分８１とを有し、第１部分８０は、シロッコファン１８の吹出口から水平方向に延在している一方、第２部分８１は、第１部分８０の上記吹出口側部分とは反対側から蒸気排出ダクト２６まで、蒸気排出ダクト２６側に行くにしたがって水平方向かつ鉛直方向上方側に水平方向に傾斜する方向に延在している。上記ファンダクト２７の蒸気排出ダクト２６への吹出口の中心軸は、水平方向に対して鉛直方向上方側に傾斜している。上記ファンダクト２７の第２部分８１の中心軸と、蒸気排出ダクト２６の第２部分７１の中心軸とは、略同一直線上に位置している。
【００４７】
上記ヒータ４１,４２は、本体１内の下側に配置され、内鍋１０を加熱するようになっている。上記内鍋温度センサ４３は、内鍋１０の温度を検知するようになっている。また、この実施形態では、上記蓋体２の上面９５は、第１面９０と、第２面９１と、段部９３とを有し、第１面９０は、シロッコファン１８に高さ方向に重なっている。また、上記第２面９１は、第１面９０よりも下方に位置し、段部９３は、第１面９０と第２面９１とを連結している。また、上記蒸気吹出口８は、段部に９３存在している。
【００４８】
図３は、攪拌アーム３７が自重により下方向に回動して、攪拌アーム３７が下方位置にある状態を示す図である。上記攪拌アーム３７の先端部は、この下方位置で、内鍋１０内の底部に対して間隔をおいて位置している。上記攪拌アーム３７は、下方位置で、本体１の所定の位置に収容されている内鍋１０底部と接触しないようになっている。また、上記攪拌アーム３７は、蓋体２が本体の凹部を塞いでいるときに、存在可能な全ての位置で、本体１の所定の位置に収容されている内鍋１０に接触しないようになっている。
【００４９】
図４は、炊飯物を攪拌している最中の攪拌体１１を示す図である。
【００５０】
尚、図４において、参照番号１０１は、炊飯物１００のうち米が沈んで積み重なっている下部領域をさし、参照番号１０２は、炊飯物１００の上側に位置する主に水が存在する上部領域をさしている。
【００５１】
上記攪拌アーム３７の先端側が上部領域１０２に位置するように、攪拌アーム３７を下方向に回動させて、攪拌アーム３７を正方向とは逆方向に回転すると、攪拌アーム３７により炊飯物１００の上部領域１０２を攪拌できるようになっている。
【００５２】
また、上記羽根部１１ｂの翼面のうちの攪拌アーム３７の回転方向に面する翼面は、攪拌アーム３７の先端側が上部領域１０２に位置する状態で、攪拌アーム３７が正方向に回転すると、炊飯物１００から下向きの反力を受けることが可能な形状になっている。したがって、攪拌アーム３７を正方向に回転させると、攪拌アーム３７は、回転しながら炊飯物１００内に潜り込みながら下方向に回動するようになっている。そして、上記内鍋１０内に収納された炊飯物１００に攪拌アーム３７を潜り込ませた状態で、炊飯物１００を攪拌できるようになっている。
【００５３】
図５は、この炊飯器の制御ブロック図である。
【００５４】
図５に示すように、上記制御装置２００には、消費電流検出部２０１、内鍋温度センサ４３、磁気センサ２０４および表示操作部３から信号が入力されるようになっている。ここで、上記磁気センサ２０４は、回転する攪拌アーム３７の先端側の攪拌アーム側磁石１６の周方向の軌跡に重なるように、内蓋２２の上側に配置されている。上記磁気センサ２０４により攪拌アーム側磁石１６の磁気を検出し、攪拌アーム３７の位置を検出できるようになっている。また、上記制御装置２００は、ファン攪拌体兼用モータ１９と、ロータ駆動部３２と、表示操作部３と、ヒータ４１,４２を駆動する加熱回路２０２とに信号を出力するようになっている。
【００５５】
上記制御装置２００は、加熱制御部２００ａと、攪拌制御部２００ｂと、状態判定部２００ｃと、炊飯物容量判定部２００ｄとを有する。上記加熱制御部２００ａは、内鍋温度センサ４０により検出された内鍋１０の温度に基づいて、ヒータ４１,４２を制御するようになっている。また、上記攪拌制御部２００ｂは、ファン攪拌体兼用モータ１９を制御して攪拌アーム３７を駆動させるようになっている。また、上記状態判定部２００ｃは、消費電流検出部２０１および磁気センサ２０４からの信号に基づいて、内鍋１０内の攪拌アーム３７の状態や被加熱物の状態を判定するようになっている。また、上記炊飯物容量判定部２００ｄは、消費電流検出部２０１からの信号を受けて、攪拌アーム３７にかかっている負荷を算出して、内鍋１０内の炊飯物の容量を判定するようになっている。
【００５６】
図６は、この炊飯器の一炊飯例での内鍋１０内の温度変化を時系列的に示す図である。尚、図６の中段は、回転体３６の回転方向を示し、図６の中段において、「正」は、下方から見て時計回りの正方向の回転を示し、「オフ」は、回転停止を示し、「逆」は、下方から見て反時計回りの逆方向の回転を示している。
【００５７】
図６に示すように、この炊飯例では、炊飯器が、洗い工程、吸水工程、立ち上げ工程、炊き上げ工程、蒸らし工程、保温工程を行うようになっている。以下、各工程についての説明を行うことにする。
【００５８】
＜洗い工程＞
まず、所定量の米と、洗米のための水とを内鍋１０内に入れた後、攪拌制御部２００ｂによりファン攪拌体兼用モータ１９を制御して攪拌アーム３７を正方向に回転させることにより炊飯物を攪拌して、状態判定部２００ｃにより米の容量を判定する。次に、判定された米の容量に応じて、攪拌制御部２００ｂにより攪拌アーム３７を正方向に回転させることにより内鍋１０内の炊飯物（米と水の混合物）を攪拌して、米粒の表面を初期研磨する。そして、初期研磨が終了すると、攪拌制御部２００ｂにより攪拌アーム３７を逆方向に回転させることにより攪拌アーム３７を蓋体２側に引き上げて収容する。その後、内鍋１０内の水のみを捨てて、新たに適量の水を内鍋１０内に入れる水替え作業を行う。尚、この初期研磨は、水を入れ替えて複数回繰り返すこともできる。
【００５９】
＜吸水工程＞
上記＜洗い工程＞の水替え作業後の開始時に、攪拌制御部２００ｂにより攪拌アーム３７を正方向に回転させることにより炊飯物を攪拌して、状態判定部２００ｃにより米の容量を判定することによりスタートする。
【００６０】
次に、攪拌制御部２００ｂにより攪拌アーム３７を正方向に回転させることにより炊飯物を所定時間攪拌して、米粒表面の固形分(主にデンプン質)の所望量を水に溶出させる(図４の「残す研磨」における攪拌アーム３７の駆動)。
【００６１】
詳しくは、米同士の擦り合わせや、米と攪拌アーム３７との接触により、米粒表面部分を平滑にすると共に、削り取られた米表面の主にデンプン質を溶出させる。擦り合わせの期間は、水側に米のデンプン質を移行させる期間としてとらえることができる。削られた表面の成分は、アミロースやアミロペクチンを含むデンプン粒子であり、炊飯時のおねばに、デンプン粒子として含有させることができるので、炊き上がった米の表面の粘り物質量を多くすることができる。したがって、米飯の粘りを向上させることが可能となる。
【００６２】
また、この工程によって、米粒の表面を平滑にできるため、光が米の表面において反射され易くなって、米のツヤを向上できる。また、表面をコーティングするアミロペクチン量も多くなるので、炊飯後冷めてからのツヤも向上できる。なお、米から水中に溶出する溶出固形分としては、炊飯する米の性質によって、炊飯後に焦げ付きが起こらない量、または、炊飯後に黄変が起こらない量を選択する。
【００６３】
次に、加熱前に内鍋温度センサ４０により内鍋１０の初期温度を検出する(図４に示す「検温１」)。そして、加熱制御部２００ａによりヒータ４１,４２を制御して、設定された熱量で内鍋１０を加熱する。このヒータ４１,４２による加熱中または加熱終了後、攪拌アーム３７を正方向に回転させることにより米と水の混合物を攪拌して、加熱された米と水の混合物の温度分布を均一にする。このとき、攪拌アーム３７を駆動するファン攪拌体兼用モータ１９の消費電流を消費電流検出部２０１により検出して、その消費電流に基づいて、状態判定部２００ｃにより米の容量を判定する。
【００６４】
次に、内鍋温度センサ４０により内鍋１０の温度を検出する(図４に示す「検温２」)。このとき、加熱前の内鍋１０の初期温度と加熱後の内鍋１０の温度との温度差および与えた熱量に基づいて、混合物容量判定部２００ｄにより米と水の混合物の容量を判定する。
【００６５】
そして、ファン攪拌体兼用モータ１９の消費電流に基づく米の容量と、内鍋１０の温度変化に基づく米と水の混合物の容量を用いて、内鍋１０の温度すなわち内鍋１０内の混合物の温度が、オーバーシュートなどすることなく速やかに６０℃になるように最適な条件を選択して、加熱制御部２００ａによりヒータ４１,４２を制御して内鍋１０を加熱する。
【００６６】
この工程では、内鍋１０の温度を検出する内鍋温度センサ４０によりヒータ４１,４２の出力を調整し、内鍋１０および内鍋１０内の米と水の混合物が約５８℃〜６０℃となるまで加熱し、その約５８℃〜６０℃の温度を２０分程度保持するようにする。
【００６７】
なお、この工程では、工程内において、攪拌アーム３７を間欠的に回転させることにより(連続的に回転させてもよい)、内鍋１０内の炊飯物を攪拌させて、内鍋１０内の炊飯物の温度を約５８℃〜６０℃まで全領域で均一に上昇させて、その約５８℃〜６０℃の温度を２０分程度保持してもよい。これにより、内鍋１０内の炊飯物の温度は工程内において、全領域同じ温度となるため、内鍋１０内のすべての米に、水をムラなく吸収させることができる。
【００６８】
また、この工程において５８℃〜６０℃の温度を、２０分程度保持するもう一つの目的として、グルコース量の増量がある。６０℃付近の温度にてグルコースを生成する酵素が最も活性化するとされる。したがって、５８℃〜６０℃の温度を長い時間保持した場合、次の＜沸騰持続、炊き上げ工程＞と＜蒸らし工程＞を経て炊き上げられたご飯が、とても甘みが感じられる仕上がりとなるのである。
【００６９】
＜立ち上げ工程＞
この工程では、内鍋１０内の炊飯物（水と米の混合物）の上部領域に攪拌アーム３７の先端側が位置するように、攪拌制御部２００ｂにより攪拌アーム３７を下方向に回動させて攪拌アーム３７を逆方向に１５０ｒｐｍで回転させることにより、米と水の混合物の上部領域(内鍋１０内の下側に米が沈んでその上側に主に水が存在する領域)を攪拌する。これにより、内鍋１０内の米と水の混合物における温度分布を均一化でき、温度ムラが少なくなって、炊き上げられたご飯の仕上がりが良好になる。
【００７０】
＜沸騰持続、炊き上げ工程＞
この工程では、攪拌アーム３７を、逆方向に３５０ｒｐｍで回転させることにより、攪拌アーム３７を、蓋体２側に引き上げると共に、上方位置に保持した後、攪拌アーム３７を、逆方向に４００ｒｐｍで回転させることによって、炊き上げによって内鍋１０内に生じるおねばが、内鍋１０内の上空間に溢れても、攪拌アーム３７により半径方向外向におねばを飛ばして内鍋１０内の下側に戻すようになっている(図４の「おねば返し」)。また、攪拌アーム３７を逆方向に４００ｒｐｍで回転させることによって、シロッコファン１８から蒸気希釈用の空気を、ファンダクト２７を介して蒸気排出ダクト２６内に送って、内鍋１０で生成されて蒸気排出ダクト２６内を外部方向に移動している蒸気を、空気で希釈して、低温の気体を外部に排出するようになっている。このようにして、蒸気吹出口８から外部に排出される気体によって、人が火傷等の怪我をすることを防止している。そして、炊き上げにより内鍋１０内の水が沸騰して無くなって、内鍋１０の温度が１００℃を越えて上昇したとき、炊き上げ運転を終了するようになっている。
【００７１】
＜蒸らし工程＞
この工程では、上記＜沸騰持続、炊き上げ工程＞後に、炊き上げたご飯を蒸らして美味しくする。前半の５分間は、攪拌アーム３７を逆方向に１５０ｒｐｍで回転させて、＜沸騰持続、炊き上げ工程＞の「おねば返し」を継続し、その後は攪拌アーム３７を回転させない。
【００７２】
＜保温工程＞
この工程では、上記＜蒸らし工程＞の終了後、蓋体２側に引き上げられて上方位置にある状態で攪拌アーム３７を逆方向に４００ｒｐｍで回転させることにより、内鍋１０内の上方空間の雰囲気を攪拌する。これにより、内鍋１０内の温度を急速に低下させ、高温下でご飯が劣化するのを防止する。
【００７３】
尚、一試験例では、＜保温工程＞で攪拌アーム３７を回転させない場合、内鍋温度センサ４０により検出された内鍋１０の温度が９０℃から７０℃まで下がるのに約４時間かかったのに対して、＜保温工程＞で攪拌アーム３７を回転させた場合、内鍋１０の温度が９０℃から７０℃まで下がるのに約１.５時間しかかからず、＜保温工程＞で攪拌アーム３７を回転させた場合、保温工程に要する時間を約２.５時間大幅に短縮することができた。
【００７４】
上記実施形態の炊飯器によれば、炊飯物を攪拌するための攪拌体１１と、シロッコファン１８からの空気を蒸気排出ダクト２６内に導くファンダクト２７とを備えるから、内鍋１０内の炊飯物を攪拌できると共に、蒸気をシロッコファン１８からの空気で希釈できる。したがって、上記攪拌体１１の攪拌時において炊飯物の温度を均一化等することができて、おいしい御飯を炊くことができると共に、蒸気排出口８から排出される蒸気の温度を下げることができて、人が蒸気排出口８から排出される蒸気で火傷等の怪我をすることを防止できる。
【００７５】
また、上記実施形態の炊飯器によれば、蓋体２に固定されると共に、蒸気希釈用の空気を生成するシロッコファン１８を駆動するファン攪拌体兼用モータ１９に、攪拌体１１を回転駆動することを兼用させたから、従来と比較して、モータを一つ削減できる。したがって、蓋体２を、コンパクトに構成できると共に、製造コストを低減できる。
【００７６】
また、上記実施形態の炊飯器によれば、従来と比較して、モータを一つ削減できるから、蓋体２の厚さおよび質量を小さくできて、炊飯器の開閉性を良くできると共に、デザインの自由度を大きくできる。
【００７７】
また、上記実施形態の炊飯器によれば、ファン攪拌体兼用モータ１９の回転動力を、動力伝達機構２０を介して攪拌体１１に伝達するようになっているから、シロッコファン１８の中心軸を、攪拌体１１の回転軸１４に対して、攪拌体１１の回転軸１４に垂直な所望の方向に、所望の間隔をおいて位置させることができる。したがって、シロッコファン１８の配置の自由度を格段に大きくすることができて、更にコンパクトな炊飯器を実現できる。
【００７８】
また、上記実施形態の炊飯器によれば、蓋体２の上面９５の第２面９１が第１面９０よりも低くなっているから、シロッコファン１８の回転軸５５が、攪拌体１１の回転軸１４と略平行な構成を、コンパクトに実現できると共に、シロッコファン１８から吐出されるシロッコファン１８の径方向の空気の流れを用いて、蒸気の希釈および排気を円滑かつ効率的に行うことができる。
【００７９】
また、上記実施形態の炊飯器によれば、シロッコファン１８と、攪拌体１１との動力の一体化を、格段に低コストかつコンパクトに実現できる。詳しくは、内鍋１０内の温度を１００℃程度に保って、沸騰を維持する炊き上げ工程においては、内鍋１０から大量に蒸気が排出されて、蒸気の希釈を行わなければならない一方、炊飯物を攪拌すると、炊飯物が痛んでしまうから、炊飯物を攪拌してはいけない。
【００８０】
ここで、従来の希釈機構と、攪拌機構とを有する炊飯器で、動力源であるモータを一体化すると、希釈を行う際に、自動的に炊飯物の攪拌が行われることになるから、従来の炊飯器では、これを避けるために、一方クラッチ等のスペースを有すると共に高価である動力遮断機構が必要不可欠になる。
【００８１】
これに対し、本実施形態によれば、攪拌アーム３７を、蓋体２に沿って延在する上方位置に存在させることができるから、攪拌アーム３７を、上方位置に位置させることにより、攪拌アーム３７が炊飯物と非接触になり、一方クラッチ等の動力遮断機構がなくても、蒸気の希釈時に、炊飯物が攪拌されることがない。したがって、上記実施形態によれば、動力の一体化を、格段に低コストかつコンパクトに実現できるのである。
【００８２】
尚、上記実施形態の炊飯器では、ファンが、シロッコファン１８であったが、この発明では、ファンは、ターボファン、サイレントファン、リミットロードファン等のシロッコファン以外の遠心ファンであっても良く、また、ファンは、軸流ファン、斜流ファン、横断流ファンであっても良い。
【００８３】
また、上記実施形態の炊飯器では、攪拌体１１が、回転体３６と、攪拌アーム３７とからなり、攪拌アーム３７を、上方位置と、下方位置とに選択的に配置できる構成であったが、この発明では、攪拌体は、蓋から垂直に延在する回転軸の先端にプロペラ型の攪拌翼が存在する構成であっても良く、一方クラッチ等の動力の伝達遮断機構によって、動力の伝達および遮断を適宜行う構成であっても良い。また、この攪拌体は、内鍋の底に形成された凹部または凸部に嵌りこんだ回転翼部を有し、回転翼部が、内鍋の外部に配置された回転部の回転によって変動する磁場に基づいて、回転する構成であっても良い。
【００８４】
また、上記実施形態の炊飯器では、蓋体２の上面９５が、互いに高さが異なる第１面９０と、第２面９１とを有して、蒸気吹出口８が、第１面９０と、第２面９１とを連結する段部９３に形成されていたが、この発明では、ファンに鉛直方向に重なる蓋体の上面の第１面と、攪拌体の回転軸に径方向に重なる蓋体の上面の第２面との高さが、同一であっても良く、蒸気吹出口は、段部に形成されなくても良い。
【００８５】
また、上記実施形態の炊飯器では、ベルト４５に歯が存在していなかったが、この発明では、ベルトは、歯付ベルトであっても良く、プーリに、ベルトの発明に係合する突起が存在していても良い。
【００８６】
また、上記実施形態の炊飯器では、動力伝達機構が、第１プーリと、第２プーリとの直径の違いによって、ファンの回転速度に対して攪拌体の回転速度を低減するようにしたが、この発明では、平行軸歯車減速機、遊星歯車減速機、ウォーム減速機、ベベルギア減速機、ヘリカル減速機またはハイポイド減速機等の歯車減速機を用いて、ファンの回転速度に対して攪拌体の回転速度を適宜調整するようにしても良い。また、この発明では、ボール減速機や、ローラ減速機等のトラクションドライブ型の減速機を用いて、ファンの回転速度に対して攪拌体の回転速度を適宜調整するようにしても良い。
【符号の説明】
【００８７】
１  本体
２  蓋体
８  蒸気吹出口
１０  内鍋
１１  攪拌体
１８  シロッコファン
１９  ファン攪拌体兼用モータ
２０  動力伝達機構
２６  蒸気排気ダクト
２７  ファンダクト
３６  回転体
３７  攪拌アーム
９０  第１面
９１  第２面
９３  段部
９５  蓋体の上面
【図１】
2013000515.tif 000003
【図２】
2013000515.tif 000004
【図３】
2013000515.tif 000005
【図４】
2013000515.tif 000006
【図５】
2013000515.tif 000007
【図６】
2013000515.tif 000008